(57)【要約】【課題】良好な視認性を確保しつつ、誤操作の可能性を極力排除し、使い勝手のよい審判用カウンタを提供する。【解決手段】本考案の審判用カウンタは、ストライク、ボール、アウトの各々に対応する３つの入力部（第１入力部１２、第２入力部１３及び第３入力部１４）であって、所定方向に回転操作可能に構成された３つの入力部と、３つの入力部を用いて入力されたストライク、ボール、アウトの各々のカウント数を電気的に表示する表示部１６と、を備える。【選択図】図１
0003216671.tif 000002
【実用新案登録請求の範囲】
【請求項１】
ストライク、ボール、アウトの各々に対応する３つの入力部であって、所定方向に回転操作可能に構成された３つの入力部と、
前記３つの入力部を用いて入力されたストライク、ボール、アウトの各々のカウント数を電気的に表示する表示部と、
を備える審判用カウンタ。
【請求項２】
前記３つの入力部の各々とストライク、ボール、アウトの各々との対応付けを変更するための変更部を備える、請求項１に記載の審判用カウンタ。
【請求項３】
前記表示部は、ストライクが３回入力される毎、又は、ボールが４回入力される毎に、表示されているストライク及びボールの各々のカウント数をクリアする、請求項１又は２に記載の審判用カウンタ。
【考案の詳細な説明】
【技術分野】
【０００１】
本考案は、野球やソフトボールの審判がストライク数、ボール数、アウト数をカウントするのに用いられる審判用カウンタに関する。
【背景技術】
【０００２】
野球やソフトボールの試合では、球審と呼ばれる審判が捕手の後方に位置を取り、投手の投げた球を打者が打たずに捕手が捕球した場合に当該球がストライクかボールかを判断して宣告したり、ストライク数やボール数、アウト数をカウントして宣告したり、その他試合を進行するために必要な様々な判定を行う。球審は、通常、カウンタ（あるいはインジケータ）と呼ばれる、片手で握れる大きさの計測器具を持ち、ストライク、ボール、アウトのカウントや、イニング数のカウントを行っている。
【０００３】
従来の一般的なカウンタは、数字の付されたダイヤルを回し、カウンタ表面に穿設されたストライク、ボール、アウト、イニングの各々の表示窓にストライク数（０〜３）、ボール数（０〜４）、アウト数（０〜３）、イニング数（１〜９）を表示させるものである。
【０００４】
このようなダイヤル式のカウンタの視認性の悪さを解消すべく、ＬＥＤ（Light Emitting Diode）等を用いたデジタル式のカウンタも各種提案されている。例えば、特許文献１には、ストライク数、ボール数、アウト数等のカウントを表示するＬＣＤ（Liquid Crystal Display）表示器や、ストライクボタン、ボールボタン、アウトボタン等のプッシュ式のボタンを備えた審判用インジケータ装置が開示されている。
【先行技術文献】
【特許文献】
【０００５】
【特許文献１】特開平１０−１７１３６７号公報
【考案の概要】
【考案が解決しようとする課題】
【０００６】
特許文献１に開示されているようなデジタル式のカウンタは、プッシュ式のボタンを押す度にストライク数、ボール数、アウト数等がカウントされる仕組みになっているが、このような構造であると、何らかの拍子にボタンを押されてしまうことにより、ストライク数、ボール数、アウト数等が間違ってカウントされてしまうおそれがある。
【０００７】
本考案は上記課題に鑑みてなされたものであり、良好な視認性を確保しつつ、誤操作の可能性を極力排除し、使い勝手のよい審判用カウンタを提供することを目的とする。
【課題を解決するための手段】
【０００８】
上記目的を達成するために、本考案は、ストライク、ボール、アウトの各々に対応する３つの入力部であって、所定方向に回転操作可能に構成された３つの入力部と、前記３つの入力部を用いて入力されたストライク、ボール、アウトの各々のカウント数を電気的に表示する表示部と、を備える審判用カウンタを提供する。
【考案の効果】
【０００９】
本考案の審判用カウンタによれば、良好な視認性を確保しつつ、誤操作の可能性を極力排除し、使い勝手をよくすることができる。
【図面の簡単な説明】
【００１０】
【図１】本考案の一実施形態に係る審判用カウンタの基本構成を概略的に示す図である。
【図２】（ａ）は、ストライク、ボールの各々と第１入力部及び第２入力部の各々との対応付けを変更する場合の変更部の操作例を説明するための図であり、（ｂ）は、ストライク、ボールの各々と第１入力部及び第２入力部の各々との対応付けが変更された後の状態を示す図である。
【図３】（ａ）は、ストライク、ボールの各々のカウント数がクリアされる前の表示部の表示状態を示す図であり、（ｂ）は、ストライク、ボールの各々のカウント数がクリアされた後の表示部の表示状態を示す図である。
【考案を実施するための形態】
【００１１】
以下、本考案の一実施形態について添付図面を参照して詳細に説明する。ただし、この実施形態は例示であり、本考案はこれに限定されるものではない。
【００１２】
図１は、本考案の一実施形態に係る審判用カウンタの基本構成を概略的に示す図である。本実施形態に係る審判用カウンタは、野球やソフトボールの審判がストライク数、ボール数、アウト数をカウントするのに用いられるものであって、図１に示すように、カウンタ本体１０と、電源ボタン１１と、第１入力部１２と、第２入力部１３と、第３入力部１４と、スコア入力部１５と、表示部１６と、スコア表示部１７と、変更部１８と、リセットボタン１９と、を備えている。なお、電源ボタン１１と、スコア入力部１５と、スコア表示部１７と、変更部１８と、リセットボタン１９とは、必ずしも必須の構成要素ではないが、本考案をさらに好ましくするための構成要素である。
【００１３】
ここで、第１入力部１２、第２入力部１３及び第３入力部１４は、ストライク、ボール、アウトの何れかに対応付けられており、対応する判定結果を入力するように構成されている。図１の例では、第１入力部１２がストライクに対応付けられており、第２入力部１３がボールに対応付けられており、第３入力部１４がアウトに対応付けられている。なお、第１入力部１２、第２入力部１３及び第３入力部１４は、本考案の「３つの入力部」の一例である。
【００１４】
カウンタ本体１０は、使用者（審判）が片手で握ることの可能な大きさの中空の箱型形状を有しており、その内部には、審判用カウンタの動作を制御するための制御回路を備えた制御基板（図示省略）や、審判用カウンタに設けられた各種電動部品の電源となる一次電池又は二次電池（図示省略）等が設けられている。
【００１５】
電源ボタン１１は、カウンタ本体１０の側面部に設けられており、押下される毎に、審判用カウンタに設けられた各種電動部品に対する電源のオンオフが交互に繰り返されるようになっている。
【００１６】
第１入力部１２、第２入力部１３、第３入力部１４及びスコア入力部１５の各々は、円板状に形成されており、各々の周縁部の一部がカウンタ本体１０の側面部から外部に突出するように設けられている。これにより、第１入力部１２、第２入力部１３、第３入力部１４及びスコア入力部１５の各々の突出部分を、例えば手の指を用いて各々の外周に沿う方向に回転操作することができる。また、第１入力部１２、第２入力部１３、第３入力部１４及びスコア入力部１５の各々には、対応する入力部１２，１３，１４，１５の所定方向の回転量が所定値に達する毎にオフ状態からオン状態に一時的に切り替わるように構成されたスイッチが接続されており、スイッチがオン状態になると、所定のカウントアップ信号が制御回路に送信されるようになっている。
【００１７】
表示部１６は、例えばストライク、ボール、アウトのカウント数を点灯表示する複数のＬＥＤランプ等であって、第１入力部１２、第２入力部１３及び第３入力部１４を用いて入力されたストライク、ボール、アウトの各々のカウント数を電気的に表示するように構成されている。本実施形態では、ボールのカウント数を表示するための３つの円形のＬＥＤランプと、ストライクのカウント数を表示するための２つの円形のＬＥＤランプと、アウトのカウント数を表示するための２つの円形のＬＥＤランプとが、カウンタ本体１０の前面に設けられている。
【００１８】
スコア表示部１７は、カウンタ本体１０の前面に設けられた例えばＬＣＤ等の表示装置であって、攻撃側の１回の攻撃が終了するまで（つまり、スリーアウトになるまで）の間に得たスコア（図の例では、５点）を電気的に表示するように構成されている。
【００１９】
変更部１８は、カウンタ本体１０の前面に設けられた例えばスライドスイッチ等のスイッチであって、本実施形態では、スイッチの切り替え操作によって、第１入力部１２及び第２入力部１３の各々とストライク及びボールの各々との対応付けを変更するように構成されている。ここで、本実施形態では、スイッチのつまみ部分が、第１入力部１２の近傍の位置と第２入力部１３の近傍の位置との間を移動するように構成されており、第１入力部１２及び第２入力部１３のうちスイッチのつまみ部分が近傍に存在する入力部が、ストライクに対応付けられるようになっている。
【００２０】
リセットボタン１９は、カウンタ本体１０の側面部に設けられており、押下されると、ストライク、ボール、アウト、スコアの各々のカウント数をクリアするように構成されている。
【００２１】
以上のように構成された審判用カウンタの動作について説明する。先ず、審判用カウンタの電源がオフの状態で電源ボタン１１が押下されると、審判用カウンタの各種電動部品に電力が供給されて、制御回路が駆動する。また、制御回路は、ストライク、ボール、アウト、スコアのカウント数を０に初期化する。
【００２２】
次に、制御回路は、第１入力部１２、第２入力部１３、第３入力部１４及びスコア入力部１５の何れかから送信されたカウントアップ信号を受信すると、カウントアップ信号を送信した入力部に対応する判定結果のカウント数を１つ増加させる。例えば、制御回路は、第１入力部１２がストライクに対応付けられ、第２入力部１３がボールに対応付けられている場合に、第１入力部１２からカウントアップ信号を受信するとストライクのカウント数を１つ増加させ、第２入力部１３からカウントアップ信号を受信するとボールのカウント数を１つ増加させる。また、制御回路は、第３入力部１４からカウントアップ信号を受信するとアウトのカウント数を１つ増加させ、スコア入力部１５からカウントアップ信号を受信するとスコアのカウント数を１つ増加させる。
【００２３】
また、制御回路は、ストライク、ボール、アウトの各々のカウント数を表示部１６に表示させる。具体的に説明すると、制御回路は、ストライク、ボール、アウトの各々に対応するＬＥＤランプを、ストライク、ボール、アウトの各々のカウント数に応じた数だけ点灯させる。さらに、制御回路は、スコアのカウント数をスコア表示部１７に表示させる。
【００２４】
なお、制御回路は、リセットボタン１９が押下されると、ストライク、ボール、アウト、スコアの各々のカウント数をクリアする（０に設定する）とともに、表示部１６において点灯中の全てのＬＥＤランプを消灯し、０をスコアのカウント数としてスコア表示部１７に表示させる。
【００２５】
次に、図２を参照して、第１入力部１２及び第２入力部１３の各々とストライク及びボールの各々との対応付けを変更する場合の審判用カウンタの動作の一例について説明する。先ず、変更部１８のスイッチのつまみ部分が図１に示すように第１入力部１２の近傍位置に存在する場合に、変更部１８のスイッチのつまみ部分を、図２（ａ）に示すように第２入力部１３に向かって移動（スライド）させ、図２（ｂ）に示すように第２入力部１３の近傍位置まで移動させると、制御回路は、第１入力部１２から送信されたカウントアップ信号をボールに対応するカウントアップ信号として受信し、第２入力部１３から送信されたカウントアップ信号をストライクに対応するカウントアップ信号として受信する。
【００２６】
また、本実施形態の審判用カウンタにおいて、表示部１６は、ストライクが３回入力される毎、又は、ボールが４回入力される毎に、表示されているストライク及びボールの各々のカウント数をクリアするように構成されている。この場合における審判用カウンタの動作を、図３を参照して説明する。制御回路は、図３（ａ）に示すように、表示部１６においてボールに対応する全て（つまり、３つ）のＬＥＤランプが点灯している場合（つまり、ボールが３回入力されている場合）であって、第２入力部１３がボールに対応付けられている場合に、第２入力部１３からカウントアップ信号を受信する（つまり、ボールが４回入力される）と、ストライク及びボールの各々のカウント数をクリアする（０に設定する）とともに、表示部１６において点灯中の全てのＬＥＤランプのうちストライク及びボールの各々に対応するＬＥＤランプを消灯する。
【００２７】
なお、制御回路は、表示部１６においてストライクに対応する全て（つまり、２つ）のＬＥＤランプが点灯している場合（つまり、ストライクが２回入力されている場合）であって、第１入力部１２がストライクに対応付けられている場合に、第１入力部１２からカウントアップ信号を受信する（つまり、ストライクが３回入力される）と、ストライク及びボールの各々のカウント数をクリアする（０に設定する）とともに、表示部１６において点灯中の全てのＬＥＤランプのうちストライク及びボールの各々に対応するＬＥＤランプを消灯する。
【００２８】
上述したように、本実施形態に係る審判用カウンタによれば、ストライク、ボール、アウトの何れかを判定結果として入力する場合に、第１入力部１２、第２入力部１３及び第３入力部１４のうち当該判定結果に対応する入力部を所定方向に回転操作するという意識的な操作が必要になるので、例えばストライクボタン、ボールボタン、アウトボタンの中から判定結果に対応するボタンを押下する場合と比較して、判定結果が無意識に入力される可能性を低減することができる。これにより、誤操作の可能性を極力排除することができる。また、本実施形態に係る審判用カウンタによれば、第１入力部１２、第２入力部１３及び第３入力部１４のうち判定結果に対応する入力部を所定方向に回転操作するという簡便な操作によって判定結果を入力することが可能になるので、使い勝手をよくすることができる。さらに、本実施形態に係る審判用カウンタによれば、ストライク、ボール、アウトの各々のカウント数を、例えばＬＥＤやＬＣＤ等を用いて電気的に表示することが可能になるので、良好な視認性を確保することができる。
【００２９】
また、本実施形態に係る審判用カウンタによれば、第１入力部１２及び第２入力部１３の各々とストライク、ボールの各々との対応付けを変更するための変更部１８を備えているので、第１入力部１２及び第２入力部１３の各々とストライク、ボールの各々との対応付けを変更部１８を用いて変更することによって、ストライク、ボールの各々を入力するための入力部を第１入力部１２及び第２入力部１３の中から自由に設定することが可能になるので、利便性を向上させることができる。
【００３０】
さらに、本実施形態に係る審判用カウンタによれば、表示部１６が、ストライクが３回入力される毎、又は、ボールが４回入力される毎に、表示されているストライク及びボールの各々のカウント数をクリアするように構成されているので、スリーストライク（三振）又はフォアボール（四球）の場合に、表示されているストライク及びボールの各々のカウント数を自動的にクリアすることが可能になることから、使い勝手をよりよくすることができる。
【００３１】
以上説明した実施形態は、本考案の理解を容易にするために記載されたものであって、本考案を限定するために記載されたものではない。したがって、上記実施形態に開示された各要素は、本考案の技術的範囲に属する全ての設計変更や均等物をも含む趣旨である。
【００３２】
上記実施形態では、第１入力部１２、第２入力部１３、第３入力部１４、表示部１６、変更部１８が図１〜３に示すように配置されている場合を一例として説明したが、第１入力部１２、第２入力部１３、第３入力部１４、表示部１６、変更部１８の各々の位置は任意に設定されてもよい。
【００３３】
上記実施形態では、表示部１６が、ストライク、ボール、アウトの各々のカウント数に応じた数のＬＥＤランプによって構成されている場合を一例として説明したが、表示部１６は、例えば、ストライク、ボール、アウトの各々のカウント数を例えばテキストや画像等で表示するためのＬＣＤ等の表示装置で構成されてもよい。
【００３４】
上記実施形態では、変更部１８が、第１入力部１２及び第２入力部１３の各々とストライク、ボールの各々との対応付けを変更するように構成されている場合を一例として説明したが、この場合に限られない。例えば、変更部１８は、第１入力部１２及び第３入力部１４の各々とストライク、アウトの各々との対応付けを変更するように構成されてもよいし、第２入力部１３及び第３入力部１４の各々とボール、アウトの各々との対応付けを変更するように構成されてもよいし、第１入力部１２、第２入力部１３及び第３入力部１４の各々とストライク、ボール、アウトの各々との対応付けを変更するように構成されてもよい。
【００３５】
上記実施形態では、ストライク、ボール、アウト、スコアの各々のカウント数をクリアするリセットボタン１９が設けられている場合を一例として説明したが、この場合に限られない。例えば、表示部１６は、アウトが３回入力される毎に、表示されているストライク、ボール及びアウトの各々のカウント数をクリアするように構成されてもよい。具体的に説明すると、制御回路は、表示部１６においてアウトに対応する全て（つまり、２つ）のＬＥＤランプが点灯している場合（つまり、アウトが２回入力されている場合）に、第３入力部１４からカウントアップ信号を受信する（つまり、アウトが３回入力される）と、ストライク、ボール、アウト、スコアの各々のカウント数をクリアする（０に設定する）とともに、表示部１６において点灯中の全てのＬＥＤランプを消灯し、０をスコアのカウント数としてスコア表示部１７に表示させてもよい。この場合、リセットボタン１９を設けることなく、ストライク、ボール、アウト、スコアの各々のカウント数をクリアすることができるので、使い勝手をさらによくすることができる。
【符号の説明】
【００３６】
１２…第１入力部
１３…第２入力部
１４…第３入力部
１６…表示部
１８…変更部
【図１】
0003216671.tif 000003
【図２】
0003216671.tif 000004
【図３】
0003216671.tif 000005